(57)【特許請求の範囲】
【請求項１】
第１の試験信号と第２の試験信号からなる試験信号のうち前記第１の試験信号を被試験対象（Ｗ）に出力する第１の移動端末試験装置（２）と、
前記第２の試験信号を前記被試験対象に出力する第２の移動端末試験装置（３）と、
前記第１の移動端末試験装置と前記第２の移動端末試験装置を制御する制御ＰＣ（４）と、を備えた移動端末試験システムであって、
前記第１の移動端末試験装置の第１のポート（２ａ）と前記第２の移動端末試験装置の第２のポート（３ａ）との間がケーブル（５）を介して接続されており、
前記第１の移動端末試験装置は、
前記制御ＰＣの指令により、前記試験信号のデータを生成するデータ生成部（２１）と、
前記データ生成部にて生成した試験信号のデータを圧縮するデータ圧縮部（２３）と、
前記データ圧縮部にて圧縮した圧縮データのヘッダに対し、データを復元するための復元用パラメータを付加するパラメータ付加部（２４）と、を有し、
前記第２の移動端末試験装置は、
前記第１の移動端末試験装置の第１のポートから前記ケーブルを介して前記第２のポートより前記復元用パラメータを付加した圧縮データを取得するデータ取得部（３１）と、
前記データ取得部にて取得した復元用パラメータ付き圧縮データから復元用パラメータを外し、該復元用パラメータに基づいて試験信号のデータを復元するデータ復元部（３２）と、を有することを特徴とする移動端末試験システム。
【請求項２】
前記第１の移動端末試験装置（２）は、前記データ生成部（２１）にて生成した試験信号のデータのうち、前記制御ＰＣ（４）にて指示されたデータのみを前記第１の試験信号のデータとして決まった順序と出力タイミングで被試験対象（Ｗ）に出力するデータ出力部（２５）を有し、
前記第２の移動端末試験装置（３）は、前記第１の移動端末試験装置の前記データ出力部から試験信号のデータが決まった順序と出力タイミングで前記被試験対象に出力された後、前記データ復元部部（３２）にて復元した試験信号のデータのうち、前記制御ＰＣにて指示されたデータのみを前記第２の試験信号のデータとして決まった順序と出力タイミングで前記被試験対象に出力するデータ出力部（３４）を有することを特徴とする請求項１に記載の移動端末試験システム。
【請求項３】
第１の試験信号と第２の試験信号からなる試験信号のうち前記第１の試験信号を被試験対象（Ｗ）に出力する第１の移動端末試験装置（２）と、
前記第２の試験信号を前記被試験対象に出力する第２の移動端末試験装置（３）と、
前記第１の移動端末試験装置と前記第２の移動端末試験装置を制御する制御ＰＣ（４）と、を備えた移動端末試験システムであって、
前記第１の移動端末試験装置の第１のポート（２ａ）と前記第２の移動端末試験装置の第２のポート（３ａ）との間がケーブル（５）を介して接続されており、
前記第１の移動端末試験装置は、
前記制御ＰＣの指令により、前記試験信号のデータを生成するデータ生成部（２１）と、
前記データ生成部にて生成した試験信号のデータを暗号化するデータ暗号化部（２２）と、
前記データ暗号化部にて暗号化した試験信号のデータを圧縮するデータ圧縮部（２３）と、
前記データ圧縮部にて圧縮した圧縮データのヘッダに対し、データを復元するための復元用パラメータを付加するパラメータ付加部（２４）と、を有し、
前記第２の移動端末試験装置は、
前記第１の移動端末試験装置の第１のポートから前記ケーブルを介して前記第２のポートより前記復元用パラメータを付加した圧縮データを取得するデータ取得部（３１）と、
前記データ取得部にて取得した復元用パラメータ付き圧縮データから復元用パラメータを外し、該復元用パラメータに基づいて暗号化前の試験信号のデータを復元するデータ復元部（３２）と、
前記データ復元部にて復元した試験信号のデータを暗号化するデータ暗号化部（３３）と、を有することを特徴とする移動端末試験システム。
【請求項４】
前記第１の移動端末試験装置（２）は、前記データ生成部（２１）にて生成して前記データ暗号化部（２２）にて暗号化された試験信号のデータのうち、前記制御ＰＣ（４）にて指示されたデータのみを前記第１の試験信号のデータとして決まった順序と出力タイミングで被試験対象（Ｗ）に出力するデータ出力部（２５）を有し、
前記第２の移動端末試験装置（３）は、前記第１の移動端末試験装置の前記データ出力部から試験信号のデータが決まった順序と出力タイミングで前記被試験対象に出力された後、前記データ暗号化部（３３）にて暗号化した試験信号のデータのうち、前記制御ＰＣにて指示されたデータのみを前記第２の試験信号のデータとして決まった順序と出力タイミングで前記被試験対象に出力するデータ出力部（３４）を有することを特徴とする請求項３に記載の移動端末試験システム。
【発明の詳細な説明】
【技術分野】
【０００１】
本発明は、例えば携帯電話やモバイル端末等の移動端末の性能評価のための試験を行う移動端末試験システムに関する。
【背景技術】
【０００２】
例えば携帯電話やモバイル端末等の移動端末を開発した場合、この開発した移動端末が正常に通信を行えるか否かを試験する必要がある。このため、例えば下記特許文献１などに開示されるような実際の基地局の機能を疑似する疑似基地局として動作する移動端末試験装置が用いられる。
【０００３】
特許文献１に開示される移動端末試験装置では、試験対象の移動端末を接続し、移動端末との間で通信を行い、この通信の内容を確認する試験により移動端末の性能評価を行っている。
【０００４】
ところで、携帯電話の通信規格であるＬＴＥ（Long Term Evolution ）で定義されるスループットは、２０１５年頃から現在に至るまでに大幅に向上している。具体的には、下記非特許文献１に示されるように２０１６年度で３７０Ｍｂｐｓであるが、２０１８年度には３倍以上の１２８８Ｍｂｐｓ（ＵＲＬ＜https://www.nttdocomo.co.jp/info/news ＿release/2018/10/17＿00.html ＞）となっている。
【０００５】
なお、スループットを定義しているＬＴＥ規格は、ＵＲＬ＜https://portal.3gpp.org/desktopmodules/Specifications/SpecificationDetails.aspx?specificationId=2434＞にて公開されている。
【先行技術文献】
【特許文献】
【０００６】
【特許文献１】特許第４６８６５３２号公報
【非特許文献】
【０００７】
【非特許文献１】総務省．第４世代移動通信システム（ＬＴＥ−Ａｄｖａｎｃｅｄ）等の高度化について．総務省ホームページ．＜www.soumu.go.jp/main＿content/000397030.pdf ＞
【発明の概要】
【発明が解決しようとする課題】
【０００８】
このように、近年では、通信規格の更新に伴って取り扱うデータ量も増加しており、上述した従来の１台の移動端末試験装置では、通信規格で要求されているデータ量が高すぎて物理的に帯域が足りず、ハードウェアの性能が追いつかなくなり、データ量が大きい移動端末の試験に対応することができないという問題があった。
【０００９】
そこで、本発明は上記問題点に鑑みてなされたものであって、データ量が大きい移動端末の試験に対応することが可能な移動端末試験システムを提供することを目的としている。
【課題を解決するための手段】
【００１０】
上記目的を達成するため、本発明の請求項１に記載された移動端末試験システムは、第１の試験信号と第２の試験信号からなる試験信号のうち前記第１の試験信号を被試験対象Ｗに出力する第１の移動端末試験装置２と、
前記第２の試験信号を前記被試験対象に出力する第２の移動端末試験装置３と、
前記第１の移動端末試験装置と前記第２の移動端末試験装置を制御する制御ＰＣ４と、を備えた移動端末試験システムであって、
前記第１の移動端末試験装置の第１のポート２ａと前記第２の移動端末試験装置の第２のポート３ａとの間がケーブル５を介して接続されており、
前記第１の移動端末試験装置は、
前記制御ＰＣの指令により、前記試験信号のデータを生成するデータ生成部２１と、
前記データ生成部にて生成した試験信号のデータを圧縮するデータ圧縮部２３と、
前記データ圧縮部にて圧縮した圧縮データのヘッダに対し、データを復元するための復元用パラメータを付加するパラメータ付加部２４と、を有し、
前記第２の移動端末試験装置は、
前記第１の移動端末試験装置の第１のポートから前記ケーブルを介して前記第２のポートより前記復元用パラメータを付加した圧縮データを取得するデータ取得部３１と、
前記データ取得部にて取得した復元用パラメータ付き圧縮データから復元用パラメータを外し、該復元用パラメータに基づいて試験信号のデータを復元するデータ復元部３２と、を有することを特徴とする。
【００１１】
本発明の請求項２に記載された移動端末試験システムは、請求項１の移動端末試験システムにおいて、
前記第１の移動端末試験装置２は、前記データ生成部２１にて生成した試験信号のデータのうち、前記制御ＰＣ４にて指示されたデータのみを第１の試験信号のデータとして決まった順序と出力タイミングで被試験対象Ｗに出力するデータ出力部２５を有し、
前記第２の移動端末試験装置３は、前記第１の移動端末試験装置の前記データ出力部から試験信号のデータが決まった順序と出力タイミングで前記被試験対象に出力された後、前記データ復元部部３２にて復元した試験信号のデータのうち、前記制御ＰＣにて指示されたデータのみを前記第２の試験信号のデータとして決まった順序と出力タイミングで前記被試験対象に出力するデータ出力部３４を有することを特徴とする。
【００１２】
本発明の請求項３に記載された移動端末試験システムは、第１の試験信号と第２の試験信号からなる試験信号のうち前記第１の試験信号を被試験対象Ｗに出力する第１の移動端末試験装置２と、
前記第２の試験信号を前記被試験対象に出力する第２の移動端末試験装置３と、
前記第１の移動端末試験装置と前記第２の移動端末試験装置を制御する制御ＰＣ４と、を備えた移動端末試験システムであって、
前記第１の移動端末試験装置の第１のポート２ａと前記第２の移動端末試験装置の第２のポート３ａとの間がケーブル５を介して接続されており、
前記第１の移動端末試験装置は、
前記制御ＰＣの指令により、前記試験信号のデータを生成するデータ生成部２１と、
前記データ生成部にて生成した試験信号のデータを暗号化するデータ暗号化部２２と、
前記データ暗号化部にて暗号化した試験信号のデータを圧縮するデータ圧縮部２３と、
前記データ圧縮部にて圧縮した圧縮データのヘッダに対し、データを復元するための復元用パラメータを付加するパラメータ付加部２４と、を有し、
前記第２の移動端末試験装置は、
前記第１の移動端末試験装置の第１のポートから前記ケーブルを介して前記第２のポートより前記復元用パラメータを付加した圧縮データを取得するデータ取得部３１と、
前記データ取得部にて取得した復元用パラメータ付き圧縮データから復元用パラメータを外し、該復元用パラメータに基づいて暗号化前の試験信号のデータを復元するデータ復元部３２と、
前記データ復元部にて復元した試験信号のデータを暗号化するデータ暗号化部３３と、を有することを特徴とする。
【００１３】
本発明の請求項４に記載された移動端末試験システムは、請求項３の移動端末試験システムにおいて、
前記第１の移動端末試験装置２は、前記データ生成部２１にて生成して前記データ暗号化部２２にて暗号化された試験信号のデータのうち、前記制御ＰＣ４にて指示されたデータのみを前記第１の試験信号のデータとして決まった順序と出力タイミングで被試験対象Ｗに出力するデータ出力部２５を有し、
前記第２の移動端末試験装置３は、前記第１の移動端末試験装置の前記データ出力部から試験信号のデータが決まった順序と出力タイミングで前記被試験対象に出力された後、前記データ暗号化部３３にて暗号化した試験信号のデータのうち、前記制御ＰＣにて指示されたデータのみを前記第２の試験信号のデータとして決まった順序と出力タイミングで前記被試験対象に出力するデータ出力部３４を有することを特徴とする。
【発明の効果】
【００１４】
本発明によれば、物理的に通信容量が制限されているケーブルのデータ伝送量を削減できるため、問題なく複数の移動端末試験装置を接続することができ、大容量のスループット試験を実現することができる。
【図面の簡単な説明】
【００１５】
【図１】本発明に係る移動端末試験システムのブロック構成図である。
【図２】本発明に係る移動端末試験システムにおける第１の移動端末試験装置の動作フローチャートである。
【図３】本発明に係る移動端末試験システムにおける第２の移動端末試験装置の動作フローチャートである。
【発明を実施するための形態】
【００１６】
以下、本発明を実施するための形態について、添付した図面を参照しながら詳細に説明する。
【００１７】
本発明に係る移動端末試験システムは、例えば携帯電話やモバイル端末等の移動端末を被試験対象として、基地局を模擬して移動端末の性能評価のための試験を行うものであり、例えば移動端末の性能評価の一つとして、シナリオに従って予め決められた固定パターン（例えばＡｌｌ「０」、Ａｌｌ「１」）による試験信号を移動端末に入力し、その応答の有無によって大容量のスループット試験を行っている。
【００１８】
図１に示すように、本実施の形態の移動端末試験システム１は、被試験対象（移動端末）Ｗの性能評価のための試験を行うため、第１の移動端末試験装置２、第２の移動端末試験装置３、制御ＰＣ４を備えて概略構成される。
【００１９】
［第１の移動端末試験装置の構成について］
第１の移動端末試験装置２は、第１の試験信号と第２の試験信号からなる試験信号のデータのうち、第１の試験信号のデータを被試験対象Ｗに出力するもので、図１に示すように、データ生成部２１、データ暗号化部２２、データ圧縮部２３、パラメータ付加部２４、データ出力部２５を備える。また、第１の移動端末試験装置２は、図１に示すように、ケーブル５（例えばイーサーネット（登録商標）のカテゴリー６のケーブル（データ伝送量：１Ｇｂｐｓ））を介して第２の移動端末試験装置３の後述する第２のポート３ａに接続される第１のポート２ａと、被試験対象Ｗの入力ポートＷ１にケーブル６を介して接続される出力ポート２ｂとを有する。
【００２０】
データ生成部２１は、制御ＰＣ４からの指令により、例えば被試験対象Ｗのスループット試験を行うため、被試験対象Ｗに出力される試験信号のデータとして第１の移動端末試験装置２と第２の移動端末試験装置３とで共有される試験信号のデータ（例えばＡｌｌ「０」、Ａｌｌ「１」の固定パターンからなる元データ）を生成する。例えば被試験対象Ｗに出力される試験信号がデータＡ，Ｂ，Ｃ，Ｄ，Ｅからなる１．５Ｇｂｐｓのデータの場合、データＡ，Ｂ，Ｃ，Ｄ，Ｅからなる１．５Ｇｂｐｓのデータを試験信号のデータとして生成する。
【００２１】
データ暗号化部２２は、データの暗号化が通信規格で定められている場合、データ生成部２１にて生成された試験信号のデータを暗号化する。例えばデータ生成部２１にてデータＡ，Ｂ，Ｃ，Ｄ，Ｅからなる１．５Ｇｂｐｓの試験信号のデータが生成されると、データＡ，Ｂ，Ｃ，Ｄ，Ｅからなる１．５Ｇｂｐｓの試験信号のデータを暗号化する。
【００２２】
データ圧縮部２３は、データ暗号化部２２にて暗号化された試験信号のデータを予めデータ量に応じて設定された圧縮率で圧縮してデータを短くする。例えばデータ暗号化部２２にて暗号化されたデータＡ，Ｂ，Ｃ，Ｄ，Ｅからなる１．５Ｇｂｐｓの試験信号のデータを例えば０．１Ｇｂｐｓ（圧縮不可能な領域の容量に相当）の試験信号のデータに圧縮する。
【００２３】
パラメータ付加部２４は、データ圧縮部２３にて圧縮された圧縮データのヘッダに対し、データを復元するための復元用パラメータ（例えばデータ長、圧縮の有無、圧縮率など）を付加する。例えばデータ圧縮部２３にてデータＡ，Ｂ，Ｃ，Ｄ，Ｅからなる１．５Ｇｂｐｓの試験信号のデータが０．１Ｇｂｐｓの試験信号のデータに圧縮された場合、この０．１Ｇｂｐｓの試験信号の圧縮データを除いた残りの１．４Ｇｂｐｓの試験信号のデータ（暗号化前のデータ）を復元するための復元用パラメータをヘッダに付加して０．１Ｇｂｐｓの圧縮データを出力する。
【００２４】
データ出力部２５は、制御ＰＣ４の制御により、第２の移動端末試験装置３の後述するデータ出力部３４との間でお互いを監視して同一の試験信号のデータ（例えば１．５ＧｂｐｓのデータＡ，Ｂ，Ｃ，Ｄ，Ｅ）を共有している。データ出力部２５は、データ暗号化部２２にて暗号化された試験信号のデータのうち、制御ＰＣ４にて選択されたデータのみを第１の試験信号のデータとして、制御ＰＣ４にて指定された順序と出力タイミングで出力ポート２ａから出力する。例えば暗号化されたデータＡ，Ｂ，Ｃ，Ｄ，Ｅからなる試験信号のデータのうち、制御ＰＣ４にて選択された第１の試験信号のデータ（例えばデータＡ，Ｂ）のみを、制御ＰＣ４にて指定された順序と出力タイミングで出力ポート２ａから出力する。
【００２５】
［第２の移動端末試験装置の構成について］
第２の移動端末試験装置３は、第１の試験信号と第２の試験信号からなる試験信号のデータのうち、第２の試験信号のデータを被試験対象Ｗに出力するもので、図１に示すように、データ取得部３１、データ復元部３２、データ暗号化部３３、データ出力部３４を備える。また、第２の移動端末試験装置３は、図１に示すように、ケーブル５（例えばイーサーネット（登録商標）のカテゴリー６のケーブル（データ伝送量：１Ｇｂｐｓ））を介して第１の移動端末試験装置２の第１のポート２ａに接続される第２のポート３ａと、被試験対象Ｗの入力ポートＷ２にケーブル７を介して接続される出力ポート３ｂとを有する。
【００２６】
データ取得部３１は、第１の移動端末試験装置２の第１のポート２ａからケーブル５を介して第２のポート３ａから復元用パラメータを付加した圧縮データを取得し、取得した圧縮データから復元用パラメータを外す処理を行う。例えば第１の移動端末試験装置２のパラメータ付加部２４から０．１Ｇｂｐｓの圧縮データのヘッダに復元用パラメータが付加されている場合には、第１の移動端末試験装置２の第１のポート２ａからケーブル５を介して第２のポート３ａから復元用パラメータがヘッダに付加された０．１Ｇｂｐｓの圧縮データを取得し、取得した圧縮データから復元用パラメータを外す。
【００２７】
データ復元部３２は、データ取得部３１にて取得した圧縮データから外された復元用パラメータに基づいて暗号化前の試験信号のデータを復元する。例えば暗号化前の１．４Ｇｂｐｓの試験信号のデータを復元するための復元用パラメータが付加された０．１Ｇｂｐｓの圧縮データをデータ取得部３１が取得した場合には、０．１Ｇｂｐｓの圧縮データはそのままとし、圧縮データのヘッダから外された復元用パラメータから暗号化前の１．４Ｇｂｐｓの試験信号のデータを復元する。
【００２８】
データ暗号化部３３は、データの暗号化が通信規格で定められている場合、データ復元部３２にて復元された試験信号のデータ（暗号化された圧縮データと暗号化前の復元されたデータ）を暗号化する。例えば暗号化された０．１Ｇｂｐｓの圧縮データと暗号化前の１．４Ｇｂｐｓの試験信号のデータとを暗号化する。これにより、第１の移動端末試験装置２のデータ暗号化部２２にて暗号化されたデータＡ，Ｂ，Ｃ，Ｄ，Ｅからなる１．５Ｇｂｐｓの試験信号のデータと同じデータＡ，Ｂ，Ｃ，Ｄ，Ｅからなる１．５Ｇｂｐｓの試験信号のデータが得られる。
【００２９】
データ出力部３４は、制御ＰＣ４の制御により、第１の移動端末試験装置２のデータ出力部２５との間でお互いを監視して同一の試験信号のデータ（例えば１．５ＧｂｐｓのデータＡ，Ｂ，Ｃ，Ｄ，Ｅ）を共有している。データ出力部３４は、データ暗号化部３３にて暗号化された試験信号のデータのうち、制御ＰＣ４にて選択されたデータのみを第２の試験信号のデータとして、制御ＰＣ４にて指定された順序と出力タイミングで出力ポート３ｂから出力する。例えば暗号化されたデータＡ，Ｂ，Ｃ，Ｄ，Ｅからなる試験信号のデータのうち、制御ＰＣ４にて選択された第２の試験信号のデータ（例えばデータＣ，Ｄ，Ｅ）のみを、第１の移動端末試験装置１の出力ポート２ｂから第１の試験信号のデータ（例えばデータＡ，Ｂ）を出力ポート２ｂから出力した後、制御ＰＣ４にて指定された順序と出力タイミングで出力ポート３ｂから出力する。
【００３０】
［制御ＰＣの構成について］
制御ＰＣ４は、第１の移動端末試験装置２および第２の移動端末試験装置３の各部を統括制御するもので、第１の移動端末試験装置２および第２の移動端末試験装置３の各部の動作パラメータ、データ速度、暗号化に必要なパラメータなどを設定する。
【００３１】
また、制御ＰＣ４は、第１の移動端末試験装置２および第２の移動端末試験装置３から出力する試験信号のデータの選択と順序および出力タイミングを制御する。
【００３２】
例えば試験信号のデータをＡ→Ｂ→Ｄ→Ｃ→Ｅの順序で被試験対象Ｗに出力する場合、第１の移動端末試験装置２のデータ暗号化部２２にて暗号化された試験信号のデータＡ，Ｂ，Ｃ，Ｄ，ＥからデータＡ，Ｂを第１の試験信号のデータとして選択してＡ→Ｂの順序により所定の出力タイミングで出力した後、第２の移動端末試験装置３のデータ暗号化部３３にて暗号化された試験信号のデータＡ，Ｂ，Ｃ，Ｄ，ＥからデータＣ，Ｄ，Ｅを第２の試験信号のデータとして選択してＤ→Ｃ→Ｅの順序により所定の出力タイミングで出力するように、第１の移動端末試験装置２のデータ出力部２５および第２の移動端末試験装置３のデータ出力部３４のデータの選択と順序および出力タイミングを制御する。
【００３３】
［移動端末試験システムの動作について］
次に、上記のように構成される移動端末試験システム１を用いて被試験対象Ｗの試験を行う場合の動作について図２および図３を参照しながら説明する。ここでは、Ａ，Ｂ，Ｃ，Ｄ，Ｅからなる１．５Ｇｂｐｓの試験信号のデータを生成し、Ａ→Ｂ→Ｄ→Ｃ→Ｅの順序で被試験対象Ｗに出力する場合を例にとって説明する。
【００３４】
なお、被試験対象Ｗに試験信号のデータを出力するにあたっては、第１の移動端末試験装置２の第１のポート２ａと第２の移動端末試験装置３の第２のポート３ａとの間をケーブル５を介して接続する。
【００３５】
また、第１の移動端末試験装置２の出力ポート２ｂと被試験対象Ｗの入力ポートＷ１との間をケーブル６を介して接続し、第２の移動端末試験装置３の出力ポート３ｂと被試験対象Ｗの入力ポートＷ２との間をケーブル７を介して接続する。
【００３６】
［第１の移動端末試験装置の動作について］
第１の移動端末試験装置２のデータ生成部２１は、制御ＰＣ４から試験信号を送信する旨の指令があると、被試験対象Ｗの試験を行うための第１の移動端末試験装置２と第２の移動端末試験装置３とで共有される試験信号のデータ（元データ）として、Ａ，Ｂ，Ｃ，Ｄ，Ｅからなる１．５Ｇｂｐｓの試験信号のデータを生成する（ＳＴ１）。
【００３７】
続いて、第１の移動端末試験装置２のデータ暗号化部２２は、データ生成部２１にて生成したＡ，Ｂ，Ｃ，Ｄ，Ｅからなる１．５Ｇｂｐｓの試験信号のデータを暗号化する（ＳＴ２）。
【００３８】
次に、第１の移動端末試験装置２のデータ圧縮部２３は、データ暗号化部２２にて暗号化したＡ，Ｂ，Ｃ，Ｄ，Ｅからなる１．５Ｇｂｐｓの試験信号のデータを０．１Ｇｂｐｓの試験信号のデータに圧縮する（ＳＴ３）。
【００３９】
そして、第１の移動端末試験装置２のパラメータ付加部２４は、データ圧縮部２３にて圧縮した０．１Ｇｂｐｓの圧縮データのヘッダに対し、１．４Ｇｂｐｓの元のデータを復元するための復元用パラメータを付加する（ＳＴ４）。
【００４０】
パラメータ付加部２４にて復元用パラメータが付加された圧縮データは、第１のポート２ａからケーブル５を介して第２の移動端末試験装置３の第２のポート３ａに入力される。
【００４１】
そして、第１の移動端末試験装置２のデータ出力部２５は、データ生成部２１にて生成してデータ暗号化部２２にて暗号化されたＡ，Ｂ，Ｃ，Ｄ，Ｅからなる試験信号のデータのうち、制御ＰＣ４にて指示されたデータＡ，Ｂのみを第１の試験信号のデータとして決まった順序（Ａ→Ｂ）と出力タイミングで出力ポート２ｂから被試験対象Ｗの入力ポートＷ１に出力する（ＳＴ５）。
【００４２】
［第２の移動端末試験装置の動作について］
一方、第２の移動端末試験装置３のデータ取得部３１は、第１の移動端末試験装置２の第１のポート２ａからケーブル５を介して第２のポート３ａに入力されるパラメータ付加部２４からの復元用パラメータが付加された０．１Ｇｂｐｓの圧縮データを取得し、復元用パラメータが付加された０．１Ｇｂｐｓの圧縮データから復元用パラメータを外す（ＳＴ１１）。
【００４３】
次に、第２の移動端末試験装置３のデータ復元部３２は、データ取得部３１にて取得した復元用パラメータに基づいて暗号化前の１．４Ｇｂｐｓの試験信号のデータを復元する（ＳＴ１２）。
【００４４】
続いて、第２の移動端末試験装置３のデータ暗号化部３３は、０．１Ｇｂｐｓの圧縮データとデータ復元部３２にて復元した１．４Ｇｂｐｓの試験信号のデータを暗号化し、第１の移動端末試験装置２のデータ暗号化部２２にて暗号化されたＡ，Ｂ，Ｃ，Ｄ，Ｅからなる１．５Ｇｂｐｓの試験信号のデータと同じＡ，Ｂ，Ｃ，Ｄ，Ｅからなる１．５Ｇｂｐｓの試験信号のデータを得る（ＳＴ１３）。
【００４５】
そして、第２の移動端末試験装置３のデータ出力部３４は、第１の移動端末試験装置２のデータ出力部２５の出力ポート２ｂから第１の試験信号のデータがＡ→Ｂの順序と出力タイミングで被試験対象Ｗの入力ポートＷ１に出力された後、データ暗号化部３３にて暗号化したＡ，Ｂ，Ｃ，Ｄ，Ｅからなる試験信号のデータのうち、制御ＰＣ４にて指示されたデータＣ，Ｄ，Ｅのみを第２の試験信号のデータとして決まった順序（Ｄ→Ｃ→Ｅ）と出力タイミングで出力ポート３ｂから被試験対象Ｗの入力ポートＷ２に出力する（ＳＴ１４）。
【００４６】
なお、移動端末試験システム１は、上述した試験信号（第１の試験信号と第２の試験信号）のデータが被試験対象Ｗに出力されると、この試験信号のデータの出力に伴って被試験対象Ｗから受信したデータを正しく復元できるか否かを判別している。
【００４７】
［各移動端末試験装置と被試験対象との間の構成について］
ところで、上述した実施の形態では、被試験対象Ｗが２つの入力ポートＷ１，Ｗ２を有し、入力ポートＷ１と第１の移動端末試験装置２の出力ポート２ｂとの間をケーブル６を介して接続し、入力ポートＷ２と第２の移動端末試験装置３の出力ポート３ｂとの間をケーブル７を介して接続し、第１の移動端末試験装置２の試験信号のデータと第２の移動端末試験装置３の試験信号のデータを有線にて被試験対象Ｗに送信する場合を例にとって説明したが、この構成に限定されるものではない。すなわち、第１の移動端末試験装置２の第１の試験信号のデータと第２の移動端末試験装置３の第２の試験信号のデータは、データ出力部２５，３４から有線または無線により被試験対象Ｗに送信することができる。
【００４８】
試験信号のデータを有線で送信する例としては、例えば被試験対象Ｗが１つの入力ポートＷ１のみを有する場合、第１の移動端末試験装置２のデータ出力部２５と出力ポート２ｂとの間に不図示の結合器を設け、この結合器と被試験対象Ｗの入力ポートＷ１との間をケーブル６を介して接続する。そして、第１の移動端末試験装置２の出力ポート２ｂから出力される第１の試験信号のデータと第２の移動端末試験装置３の出力ポート３ｂから出力される第２の試験信号のデータとを結合器にて結合した後、ケーブル６を介して有線により被試験対象Ｗに送信する。
【００４９】
また、試験信号のデータを無線で送信する例としては、被試験対象Ｗが送受信機能を備えている場合、第１の移動端末試験装置２の出力ポート２ｂから出力される第１の試験信号のデータと第２の移動端末試験装置３の出力ポート３ｂから出力される第２の試験信号のデータとを不図示の結合器にて結合した後、不図示のアンテナから無線により被試験対象Ｗに送信する。
【００５０】
さらに、データの暗号化が規格で規定されていない場合には、図１の第１の移動端末試験装置２のデータ暗号化部２２および第２の移動端末試験装置３のデータ暗号化部３３を省く構成としてもよい。
【００５１】
このように、本実施の形態によれば、物理的に通信容量が制限されているケーブルのデータ伝送量を削減できるため、問題なく複数の移動端末試験装置を接続することができ、大容量のスループット試験を実現することができる。
【００５２】
以上、本発明に係る移動端末試験システムの最良の形態について説明したが、この形態による記述および図面により本発明が限定されることはない。すなわち、この形態に基づいて当業者等によりなされる他の形態、実施例および運用技術などはすべて本発明の範疇に含まれることは勿論である。
【符号の説明】
【００５３】
１  移動端末試験システム
２  第１の移動端末試験装置
２ａ  第１のポート
２ｂ  出力ポート
３  第２の移動端末試験装置
３ａ  第２のポート
３ｂ  出力ポート
４  制御ＰＣ
２１  データ生成部
２２  データ暗号化部
２３  データ圧縮部
２４  パラメータ付加部
２５  データ出力部
３１  データ取得部
３２  データ復元部
３３  データ暗号化部
３４  データ出力部
Ｗ  被試験対象
【図１】
0006972075.tif 000002
【図２】
0006972075.tif 000003
【図３】
0006972075.tif 000004